(57)【要約】　　　（修正有）【課題】管継手にフレキシブル管を挿入固定した際に、必要が生ずれば容易に管継手からフレキシブル管を取り外すことの出来る管継手を提供する。【解決手段】環状基板から中心方向に向け複数放射状にかつ漏斗状に設けられたフレキシブル管支持片１６を有するロックリング１４と、該ロックリング１４をフレキシブル管継手主体２のフレキシブル管挿入空間内の所定位置に位置決めする為、フレキシブル管内周面に突出して設けたロックリング係止突部１８と、該ロックリング係止突部１８にロックリングの環状基板を押し当て固定する為の、前記主体端に螺合させたプラグ４とよりなるフレキシブル管固定手段を有するフレキシブル管継手とした。【選択図】　　　　図１
2004116649.tif 000002
【特許請求の範囲】
【請求項１】
環状基板から中心方向に向け複数放射状にかつ漏斗状に設けられたフレキシブル管支持片を有するロックリングと、該ロックリングをフレキシブル管継手主体のフレキシブル管挿入空間内の所定位置に位置決めする為、フレキシブル管内周面に突出して設けたロックリング係止突部と、該ロックリング係止突部にロックリングの環状基板を押し当て固定する為の、前記主体端に螺合させたプラグとよりなるフレキシブル管固定手段を有するフレキシブル管継手。
【請求項２】
筒状をなしたフレキシブル管継手主体のフレキシブル管挿入空間最奥に、挿入したフレキシブル管の先端と当接する段付及びフレキシブル管の外周面と接する内周面を有する筒状のシールパッキンを有し、フレキシブル管挿入空間の入口付近に環状の基板から中心方向に向け複数放射状にかつ漏斗状に設けられたフレキシブル管支持片を有するロックリングと、該ロックリングをフレキシブル管継手主体のフレキシブル管挿入空間内の所定位置に位置決めする為のロックリング係止突部と、該ロックリング係止突部にロックリング基部を押し当て固定する為の前記主体端部に螺合させたプラグとよりなるフレキシブル管固定手段を設けてなるフレキシブル管継手。
【発明の詳細な説明】
【０００１】
【発明の属する技術分野】
本発明は、気体液体等の流体を導く為のフレキシブル管をワンタッチで接続するフレキシブル管継手において、一旦接続したフレキシブル管を容易に取り外すことを可能としたフレキシブル管継手に関する。
【０００２】
【従来の技術】
フレキシブル管は、縦断面が連続した波状を呈し、大径部と小径部とが繰り返しており、管継手本体内に挿入されたフレキシブル管は、継手本体内に設けられているロックリングの内周面に突出している係合突部を大径部により押し開き、フレキシブル管小径部と前記係合突部とを対向させ当接することでフレキシブル管の引き抜けを防止し固定している（例えば、特許文献１参照）。そのため、係合突部をフレキシブル管に当接し固定するための手段が必要で構造が複雑となり、また、管継手からフレキシブル管を取り外すことも困難であった。
【０００３】
【特許文献１】
特願２００２−１６９６７９号公報
【０００４】
【発明が解決しようとする課題】
本発明は上記の点に鑑みて、管継手にフレキシブル管を挿入固定した際に、必要が生ずれば容易に管継手からフレキシブル管を取り外すことの出来る管継手を得ることを目的とする。
【０００５】
【課題を解決するための手段】
請求項１のフレキシブル管継手は、環状基板から中心方向に向け複数放射状にかつ漏斗状に設けられたフレキシブル管支持片を有するロックリングと、該ロックリングをフレキシブル管継手主体のフレキシブル管挿入空間内の所定位置に位置決めする為、フレキシブル管内周面に突出して設けたロックリング係止突部と、該ロックリング係止突部にロックリングの環状基板を押し当て固定する為の、前記主体端に螺合させたプラグとよりなるフレキシブル管固定手段を有するものとした。
また、請求項２のフレキシブル管継手は、筒状をなしたフレキシブル管継手主体のフレキシブル管挿入空間最奥に、挿入したフレキシブル管の先端と当接する段付及びフレキシブル管の外周面と接する内周面を有する筒状のシールパッキンを有し、フレキシブル管挿入空間の入口付近に環状の基板から中心方向に向け複数放射状にかつ漏斗状に設けられたフレキシブル管支持片を有するロックリングと、該ロックリングをフレキシブル管継手主体のフレキシブル管挿入空間内の所定位置に位置決めする為のロックリング係止突部と、該ロックリング係止突部にロックリング基部を押し当て固定する為の前記主体端部に螺合させたプラグとよりなるフレキシブル管固定手段を設けたものとした。
【０００６】
【発明の実施の形態】
本発明の実施の形態を図面と共に説明する。
図１は本発明フレキシブル管継手１の断面を示すものである。フレキシブル管継手１の主体２は筒状をなし一端部に導管（図示せず）を螺合する螺子部３が設けられ、他端部には後述するプラグ４を螺合する螺子部５が設けられている。筒状をなす主体２の内部に、軸線Ｃと直交する方向のパッキン受６を鍔状に設ける。パッキン受６は中央に軸線Ｃ−Ｃ方向に伸びる筒状の流路７を構成している。８は螺子部３に螺合する図示しない導管の端部を受ける環状のパッキン、９は筒状の流路７に嵌合して設けたシールパッキンで、大略筒状体をなし、管継手主体２に内設して設けてある。その内周はフレキシブル管１０の波状屈曲１１とほぼ対応する波状屈曲１２をし、フレキシブル管１０が嵌挿されたときに良好に密接出来るようにしている。上記波状屈曲１２の数は少なくて良い。シールパッキン９に挿入されたフレキシブル管１０の先端は、シールパッキン９の波状屈曲の最奥部に設けられている段部１３に当接している。
【０００７】
１４はロックリングで、図２に示す如く側面視環状の薄板状をなし、環状基板１５から軸線Ｃに向け突出する多数のフレキシブル管支持片１６を有している。各支持片１６は頭頂部に小突起１７を有し、隣接支持片１６同志若干の間隔を有し、それぞれ図２Ｂに示す如く、フレキシブル管１０の挿入方法に折り曲げられ支持片１６全体として頂部を欠いた漏斗状を呈している。
【０００８】
ロックリング１４は環状基板１５の外径がフレキシブル管継手１の主体２の内径より短く主体２の内部に挿入されたときは、主体２の内周面に環状に突出しているロックリング係止突部１８に当接して環状基板１５を軸線Ｃ−Ｃと直交する仮想面上に位置するようにされる。
【０００９】
ロックリング１４の環状に配された支持片１６の対向する頂部の小突起１７の間隔は、フレキシブル管１０の、大径部１９の径よりは小さく、小径部２０よりは大きくしている。ロックリング係止突部１８により位置決めされているロックリング１４は、主体２の螺子部５で主体２に螺合しているプラグ４により押圧固定されている。プラグ４は筒状体よりなり、筒状体の先端のロックリング当接面２１の内周縁には軸線Ｃ−Ｃ方向に傾斜するテーパー面２２を有する小突起２３を設け、筒状体の中央部分外周面には主体２の螺子部５に螺合する螺子部５を設ける。２４はフランジである。
【００１０】
本発明フレキシブル管継手１にフレキシブル管１０を取り付ける際には、図１に示すように組み立てたフレキシブル管継手１のプラグ４側からフレキシブル管挿入空間Ａ内にフレキシブル管１０を挿入する。フレキシブル管１０はその先端を小径部２０で切断しており、その先端が先ずロックリング１４のフレキシブル管支持片１６に当接し、漏斗状に先すぼまりに開いた支持片１６をその弾性を排して更に押し開く。そして、フレキシブル管１０は、小径部２０と大径部１９とを交互にロックリング１４の支持片を通過させ先端をシールパッキン９に嵌入する。シールパッキン９は、その内周部分にフレキシブル管１０の波状の屈曲に沿うような波状の屈曲１２を構成しているが、フレキシブル管１０は先端部分でそれを押し広げて先端面をシールパッキン９の段部１３に当接させる。このときシールパッキン９はパッキン受６により移動を阻止されると共に密封性を高めている。
【００１１】
図１に示す側ではシールパッキン９の凹嵌部２１は１個所でフレキシブル管１０の１個所の大径部１９と嵌合しているが、このシールパッキン９の凹嵌部の数は少ない程フレキシブル管継手１の長さを短くすることが出来るので、フレキシブル管１０の波状凹凸１１の形状を基準にしてシールパッキン９の凹部の数及び位置及びロックリング１４を固定するロックリング係止突部１８の位置をあらかじめ決定すべきで、図１に示すように、フレキシブル管１０の先端がシールパッキン９の段部１３に当接したときに、ロックリング１４の支持片１６の先端の小突起１７がフレキシブル管１０の小径部付近に当接することが出来るようにする。
【００１２】
上記構成によって、フレキシブル管１０はその先端及び屈曲部分１１においてシールパッキン９の段部１３及び波状屈曲１２と密接し密封状態を保つと共に、ロックリング１４のフレキシブル管支持片１６はその先端の小突起１７をフレキシブル管１０の小径部２０付近に当接してフレキシブル管１０を引き抜こうとする方向への力に充分に対抗することになる。
【００１３】
上記の引き抜き方向への力がフレキシブル管支持片１６に加わり断面「く」字形のフレキシブル管支持片１６が直線状に伸長しようとしても、プラグ４の小突起２３のテーパー面２２が支持片１６を受けて支持片１６の伸長を阻止する作用をする。
【００１４】
フレキシブル管継手１に接合されているフレキシブル管を取り外すには次のようにする。プラグ４のフランジ２４に適宜工具を当てがい、軸線Ｃ−Ｃを中心に回転し螺子部５をゆるめプラグ４をフレキシブル管継手１の主体２から取り外すことによって、ロックリング１４はロックリング１４を主体２のロックリング係止突部１８へ押圧する力から開放されることになる。そこで、フレキシブル管１０を図１にあっては右方向に引けば、フレキシブル管１０の小径部２０に先端の小突起１７を当接している支持片１６を介してロックリング１４も右方に引かれ、主体２から取り出される。フレキシブル管１０の先端に嵌合しているシールパッキン９もフレキシブル管１０の移動につれて右行するが、ロックリング係止突部１８と当接することで更なる移動は出来ずその位置に停止し、フレキシブル管１０のみがシールパッキン９から抜け主体２から取り外される。
【００１５】
【発明の効果】
本発明フレキシブル管継手は、主体内のフレキシブル管挿入空間に設けたフレキシブル管固定手段を主体端部に螺合したプラグにより前記主体に固定したために、フレキシブル管をフレキシブル管継手より引き抜く際には、前記プラグを取り外すことでフレキシブル管固定手段を解放することが出来、従来フレキシブル管を取り外すことの出来なかったフレキシブル管継手からのフレキシブル管の取り外しが容易に行なえるようになった。
【図面の簡単な説明】
【図１】本発明フレキシブル管継手の全体縦断正面図である。
【図２】ロックリングを示すものでＡは側面図、ＢはＡのＢ−Ｂ線断面図。
【図３】プラグを示すものでＡは一部切除した正面図、ＢはＡの右側面図、ＣはＡの左側面図。
【符号の説明】
１　フレキシブル管継手
２　フレキシブル管継手主体
３，５　螺子部
４　プラグ
６　パッキン受
７　流路
８　パッキン
９　シールパッキン
１０　フレキシブル管
１１，１２　波状屈曲
１３　段部
１４　ロックリング
１５　環状基板
１６　フレキシブル管支持片
１７　小突起
１８　突部
１９　大径部
２０　小径部
２１　シールパッキンの凹嵌部
２２　テーパー面
２３　小突起
２４　フランジ
Ａ　フレキシブル挿入空間
【図１】
2004116649.tif 000003
【図２】
2004116649.tif 000004
【図３】
2004116649.tif 000005